(57)【要約】      （修正有）【課題】車載される道具が所定奥行に収まるのに最適なサイズで構成され、収納した物品から匂いが漏れ出ることのない、密閉性に優れた車載用収納袋を提供する。【解決手段】車載用収納袋１は、物品の奥行に合わせてマチが確保され、車体のトランクルームの横幅より所定量長い横幅と、車体のトランクルームの高さより所定量長い高さが確保され、かつ、袋の間口が密閉可能な開閉ジッパー２とを備える透明な袋である。【選択図】図１
0003235003.tif 000002
【実用新案登録請求の範囲】
【請求項１】
物品の奥行に合わせてマチが確保され、車体のトランクルームの横幅より所定量長い横幅と、車体のトランクルームの高さより所定量長い高さが確保され、かつ、袋の間口が密閉可能な開閉ジッパーとを備えることを特徴とする車載用収納袋。
【請求項２】
前記袋は、クリアポリプラスチック製であって、密閉する開閉する二重のジッパーを備えることを特徴とする請求項１に記載の車載用収納袋。
【請求項３】
前記袋の外側面であって、該袋の底面と前記車体の積載上面と擦れ合う部分に滑り止め加工を施したことを特徴とする請求項１または２に記載の車載用収納袋。
【請求項４】
前記袋に滞留する空気を排気する排気口を備えることを特徴とする請求項１または２に記載の車載用収納袋。
【請求項５】
前記物品は、クーラーボックスであることを特徴とする請求項１または２に記載の車載用収納袋。
【請求項６】
前記物品は、キャリーバックであることを特徴とする請求項１または２に記載の車載用収納袋。
【請求項７】
前記物品は、海水または川水を貯める折り畳み可能であって、水分を含んだバケツを含むことを特徴とする請求項１または２に記載の車載用収納袋。
【請求項８】
前記袋は、折り目となる位置に所定のマークを記したことを特徴とする請求項１または２に記載の車載用収納袋。
【考案の詳細な説明】
【技術分野】
【０００１】
本考案は、車のトランクルーム幅に合わせて漁具等の物品を収納する車載用収納袋に関するものである。
【背景技術】
【０００２】
所定の物品を収容する収納袋として下記特許文献１が開示されている。
これによれば、抗菌・消臭剤を含んだポリエチレンフィルムを採用した内層フィルムに、ポリビニルアルコールフィルムを採用した中間層フィルムを積層し、この中間層フィルムに、ポリプロピレンフィルムを採用した外層フィルムを積層して成る三層構造フィルムＡを用いて開口部４を有する袋体５を構成し、この袋体５は、畳んだ着物６を収納可能な形状に形成し、この袋体５の開口部４に、この開口部４を開閉自在に密封するファスナー７を設け、畳んだ着物６とともに袋体５内に収納可能なシート状の除湿剤８を備えた着物保管袋が記載されている。
一方、下記特許文献２には、自動車おトランク内に、その中央部で折り曲げ可能なアームと、この先端部とトランク本体とを連結するアームとを相対して２本ずつ取り付け、これらのアームの間に小物を差し入れ可能な布袋を取り付けた例が開示されている。
【先行技術文献】
【特許文献】
【０００３】
【特許文献１】実用新案登録第３１７１０５１号公報
【特許文献２】実願昭６０−２８５４５号公報
【考案の概要】
【考案が解決しようとする課題】
【０００４】
一方、自動車で使用可能な収納袋は、市販のビニール袋、７０リットル用などのゴミ収集袋を代用しているのが通例である。
ここで、車、例えばＳＵＶにおいて、上記のようなゴミ収集用のビニール袋を使用する態様を考えてみる。
【０００５】
通常、運転者は、リフトバックの扉を開閉して荷物の出し入れを行うが、例えばレジャーで、磯釣りに出かけて釣果にもよるが、釣り上げてから時間が経過し、温度が高い状況では釣り上げた魚の腐敗が始まり、間口が開口されたビニールでは、悪臭が車内に充満するだけでなく、車内の内装シートに匂いが移り込んでしまうという課題があった。
また、ゴミ収集袋は、リットル単位で構成され、車体の横幅にピッタリ合わせてカスタマイズされた収納袋は実用化されていなかった。
【０００６】
さらに、上記の例でいうと、釣り道具としてのクーラーボックスとしては、やはり縦横高さのサイズのうち、奥行き長さはほぼ同じサイズ、例えば本体サイズ：約２８．５×２０×１８(ｈ)ｃｍ等が一般的で、外形素材は、容量：約４．７Ｌ、重量：約０．８ｋｇ、素材：ポリエチレン、ポリプロピレン、発泡ウレタンである。
このうち、サイズの異なるクーラーボックスであっても、奥行きは、それほど違いはなく、奥行きのばらつきは、２０ｃｍプラスマイナス５ｃｍ程度に収まる。
【０００７】
本考案は、上記課題を解決するためになされたもので、本考案の目的は、車載される道具が所定マチに収まるような物品を収納するのに最適なサイズで構成される収納袋であって、収納した物品から匂いが漏れ出ることのない密閉性に優れた車載用収納袋を提供することである。
【課題を解決するための手段】
【０００８】
本考案に係る車載用収納袋は、物品の奥行に合わせてマチが確保され、車体のトランクルームの横幅より所定量長い横幅と、車体のトランクルームの高さより所定量長い高さが確保され、かつ、袋の間口が密閉可能な開閉ジッパーとを備えることを特徴とする。
【考案の効果】
【０００９】
本考案の車載用収納袋によれば、車載される道具が所定奥行に収まるような物品を収納するのに最適なサイズで構成される収納袋であって、収納した物品から匂いが漏れ出ることのないに密閉性して収容することができる。
【図面の簡単な説明】
【００１０】
【図１】図１は車載用収納袋の実施方法を示した説明図である。（実施例１）
【図２】図２は車載用収納袋の実施方法を示した説明図である。（実施例２）
【図３】本実施形態を示す車載用収納袋の実施方法を示した説明図である。（実施例２）
【図４】図１に示した収納袋１を拡げた状態を示す斜視図である。（実施例３）
【図５】図１に示した収納袋１を拡げた状態を示す斜視図である。（実施例３）
【考案を実施するための形態】
【実施例１】
【００１１】
図１は、本実施形態を示す車載用収納袋の構成を示す説明図である。本例の車載用収納袋は、ポリスチレンＰＡ／ポリプロピレンＰＥ複合膜が原料であって、寸法は、例えば横１５０ｃｍ×縦１２０ｃｍ×マチ（底）６０ｃｍ（約１００リットル（ｌ））、厚さ０．１０ｍｍ耐熱温度−３０度から６０度、耐荷重５ｋｇを例とする。
【００１２】
図１において、１は収納袋で、ＰＡ／ＰＥ複合膜で、厚さ０．１ｍｍで構成され、上部に二重のジッパーライン２が間口方向に設けられ、留め具２をスライドさせることで収納袋を密閉することができる。
【００１３】
また、収納袋１の表外側には、該収納袋１を折り畳むための指標として、所定のマーク（例えば商標）が印刷されている。これにより、収納袋１を使用して、内部面と、外部面とを水洗いして乾燥させた後、当該所定のマークに沿って折り畳むと、例えばＡ３サイズにきれいに畳み込むことができる。
【００１４】
なお、収納袋のサイズは、車種によって、複数のサイズを用意することで、ＳＵＶ、セダン、ワンボックス等であっても、使い勝手のよい収納袋を提供することができる。
また、車載に限らず、航空機の貨物等として収容される場合に備えて、収納袋の外側に荷物識別カードを収納できるポケットを複数設けてもよい。
これにより、荷物の所有者が不明となってしまうことを防止することも可能である。
【００１５】
図２は、図１に示した収納袋１を拡げて使用可能として収納可能な体積を示す斜視図である。
図２において、１１は横幅であって、例えば車載される際のトランクルームの横幅よりも所定量長いサイズが確保されている。１２は縦幅であって、例えば車載される際のトランクルームの縦幅よりも所定量長いサイズが確保されている。
【００１６】
１３はマチであって、物品の奥行に合わせて長さが確保されている。ここで好例として、レジャー用のクーラーボックスを例とすれば、５０ｃｍプラスマイナス１０ｃｍ程度が使い勝手がよい。
【００１７】
なお、収納袋１の底面側であって、外側面には、所定の滑り止め加工（例えばディンプル加工）がなされ、車体のうち、積載される物品を受けるシート側との間で摩擦力を発揮して、多少の揺れでも収納された物品が移動しにくくなるよう構成されている。また、袋に滞留する空気を排気する排気口を備える構成としてもよい。
【００１８】
なお、物品は、クーラーボックスに限らず、キャリーバック等が積層される構成であっても適用可能である。もちろん、ゴルフバック等を積載収納することが可能である。
また、本実施形態における収納袋は、海水または川水を貯める折り畳み可能なバケツ等の水分を含んだ物品を収納するのに適している。
【００１９】
つまり、間口を開閉する密閉用ジッパー体１４は、収納したクーラーに収納した物品、例えば生魚等が腐敗しる臭気を閉じ込めることができ、車体の内装材に腐敗しる臭気が映り込んでしまう事態を回避することができる。
【００２０】
また、密閉用ジッパー体１４の位置よりも、やや底面方向に設ける排気口であって、キャップ体で、真空のまま袋内部を閉じ込める手段を設ける構成とすることができる。
これにより、袋内に残留する空気による酸化の影響を排除して、収納袋の間口を広げた際に漏れ出る匂いの程度を和らげることができる。
【実施例２】
【００２１】
図３は、本実施形態を示す車載用収納袋の実施方法を示した説明図である。
図３に示すように、車載用収納袋には、クーラーボックスの上、バッカン、釣り竿等を積載して一括収納することができる。
また、水回りで使用したバケツやタモも収納することができる。見た目の整頓されているため、物品を取り出す際にも違和感がない。
【実施例３】
【００２２】
図４は、図１に示した収納袋１を拡げた状態を示す斜視図である。
図４に示すように、本例は、収納袋１の下部域の片面または両面であって、間口から所定長下面位置と、底面から所定長上面位置とを結ぶ線上に縦ジッパー２１、２２（Ｕ字型）を２つ所定間隔で設けることで、物品を積載状態から間口を開放することなく、収容した物品を取り出せるように構成することを特徴としている。
これにより、車載して収納した物品を素早く取り出すことができ、使い勝手が非常によい。
【実施例４】
【００２３】
図５は、図１に示した収納袋１を拡げた状態を示す斜視図である。
図５に示すように、本例は、収納袋１の奥行面の片面または両面であって、間口から所定長下面位置と、底面から所定長上面位置とを結ぶ線上に斜めジッパー３１、３２を２つ所定間隔で設けることで、物品を積載状態から間口を開放することなく、収容した物品を取り出せるように構成することを特徴としている。
これにより、車載して収納した物品をより素早く取り出すことができ、使い勝手が非常によい。
【実施例５】
【００２４】
なお、図１に示した収納袋１の上部間口近辺に、袋に滞留する空気を排気する排気口を備える構成としてもよい。
【産業上の利用可能性】
【００２５】
上記実施形態は、車載用収納袋について説明したが、車載に限らず、乗り物であれば本考案を適用可能であり、プレジャーボート、ヘリコプター、セスナ、ジェット機、電車、バス、宇宙船、飛行船にも適用可能である。
【符号の説明】
【００２６】
１    車載用収納袋
【図１】
0003235003.tif 000003
【図２】
0003235003.tif 000004
【図３】
0003235003.tif 000005
【図４】
0003235003.tif 000006
【図５】
0003235003.tif 000007